(57)【要約】      （修正有）【課題】全体的な組付け工程を簡素化して自動化するとともに自動化されて、加工効率が全般的に向上する、アンテナモジュール自動化組付け構造を提供する。【解決手段】基板組立体１０とアンテナ組立体２０とを備える。基板組立体１０は基板１１と、ハウジング１２と、複数の第１のコンタクト１４とを有しており、ハウジング１２は基板１１上に設けられるとともにその上端にコンタクトスリット１２１が凹設されており、第１のコンタクト１４はコンタクトスリット１２１から突出しており、アンテナ組立体２０は分離可能に基板１１上に当接するとともに、信号連結部と複数の第２のコンタクトとを有しており、第２のコンタクトは信号連結部の底面に設けられるとともに複数の第１のコンタクト１４に互いに当接し且つ電気的に接続される。第２のコンタクトは単に下向きに当接するのみで第１のコンタクト１４と互いに電気的に接続するので、本考案の簡易な組付け方式は自動化生産に非常に有利となる。【選択図】図１
0003218208.tif 000002
【実用新案登録請求の範囲】
【請求項１】
基板と、前記基板上に設けられており、上方開口を有するコンタクトスリットと、水平方向にてハウジングの上面の対向する両側に設けられる二つのスプリングスリットとが上面に凹設されているハウジングと、互いに間隔を空けて前記ハウジングの前記コンタクトスリット内に設けられるとともに、各々の前記第１のコンタクトの対向する両端中にて、このうち一端は前記基板に接続され、他端は自由端として上向きに前記コンタクトスリットの上面から突出している複数の第１のコンタクトと、を有する基板組立体と、
本体部と、前記本体部に連結される信号連結部と、互いに間隔を空けて前記信号連結部の底面に設けられるとともに、分離可能に下向きで前記ハウジングの前記コンタクトスリットの前記上方開口を貫通し且つ下向きに前記複数の第１のコンタクトに当接するとともに、前記複数の第１のコンタクトに電気的に接続される複数の第２のコンタクトと、前記基板組立体の前記二つのスプリングスリット内にそれぞれ収容されるとともに、前記水平方向にて屈曲することができる二つの固定スプリングと、を有し、分離可能に下向きに前記基板上に当接するアンテナ組立体と、を備えており、
各々の前記固定スプリングは、対応する前記スプリングスリット内に収容される装着部と、対向する両端がそれぞれ連結端及び自由端であり、前記連結端は前記装着部の上端に連結される係止部と、を有しており、
前記係止部は前記連結部から前記水平方向にて他方の係止部に向けて屈曲して突出するとともに、前記二つの固定スプリングの前記二つの係止部の間の水平方向での最短距離が前記信号連結部の前記水平方向での対向する両側の距離未満であり、
前記二つの固定スプリングの前記二つの自由端は下向きに前記信号連結部の上面に選択的に当接されるとともに、前記アンテナ組立体を前記基板組立体の上方に選択的に固定する、ことを特徴とする、
アンテナモジュール自動化組付け構造。
【請求項２】
前記複数の第１のコンタクトが二つの第１のコンタクト列を形成するように配列されており、前記二つの第１のコンタクト列は互いに平行で且つ間隔を空けて配列されており、しかも各々の前記第１のコンタクト列中に位置する前記複数の第１のコンタクトもまた互いに平行で且つ間隔を空けて設けられるとともに、前記二つの第１のコンタクト列が間隔を空けて配列される方向と、各々の前記第１のコンタクト列における前記複数の第１のコンタクトの間隔を空けて配列される方向とが互いに垂直となる、請求項１に記載のアンテナモジュール自動化組付け構造。
【請求項３】
前記基板組立体の前記ハウジング上には二つの貫通孔組が更に形成されており、前記二つの貫通孔組は互いに平行で且つ間隔を空けて前記ハウジングの前記コンタクトスリット内に設けられており、各々の前記貫通孔組は複数の貫通孔を有しており、前記複数の貫通孔は互いに平行で且つ間隔を空けて設けられており、前記二つの第１のコンタクト列は前記二つの貫通孔組にそれぞれ対応するとともに、各々の前記第１のコンタクト列の前記複数の第１のコンタクトは対応する前記複数の貫通孔内にそれぞれ収容される、請求項１に記載のアンテナモジュール自動化組付け構造。
【請求項４】
各々の前記固定スプリング上には、前記固定スプリングの上端から前記水平方向にて他方の固定スプリングに向けて下向きに形成されている装着斜面が更に形成されており、しかも前記自由端は前記装着斜面の底端に形成される、請求項１ないし３のうちいずれか一項に記載のアンテナモジュール自動化組付け構造。
【請求項５】
前記基板組立体の前記ハウジングの上面に設けられる少なくとも一つの第１のポカヨケ装置と、前記アンテナモジュールの前記本体部の底面に設けられるとともに、位置及び個数が前記少なくとも一つの第１のポカヨケ装置の位置及び個数に対応し、且つ分離可能に下向きで前記少なくとも一つの第１のポカヨケ装置と結合される少なくとも一つの第２のポカヨケ装置と、を備える、請求項１ないし３のうちいずれか一項に記載のアンテナモジュール自動化組付け構造。
【請求項６】
前記アンテナモジュールは更に、前記本体部の上面から下向きに前記本体部の底面を貫通する位置決めねじを備える、請求項１ないし３のうちいずれか一項に記載のアンテナモジュール自動化組付け構造。
【考案の詳細な説明】
【技術分野】
【０００１】
本考案は電子装置に組付けられるアンテナモジュールのコネクタ構造に関する。
【背景技術】
【０００２】
電子装置に装着されるアンテナ装置は、プリント回路基板（ＰＣＢ，Ｐｒｉｎｔｅｄ  Ｃｉｒｃｕｉｔ  Ｂｏａｒｄ）上に装着される外付け要素のコネクタ（ＰＣＩ  Ｃｏｎｎｅｃｔｏｒ）と互いに接続されて、アンテナ装置と電子装置との間の電気的な接続を達成するというものである。
【０００３】
そしてアンテナ装置の組付け方法では、まず斜め挿入方式で、アンテナ装置上の連結部をプリント回路基板上の外付けのコネクタ内に挿入して、続いてアンテナ装置を下向きに平坦に押えるとともにプリント回路基板上に密着させて、最後にアンテナ装置を電子装置上の特定位置にねじで螺着固定して、アンテナ装置を電子装置のコントロール板上に取付ける加工工程が完了する。
【０００４】
しかしながら、従来技術におけるアンテナ装置の装着方式では、その加工工程が複雑なため、自動化しにくいことから、前記した加工工程はいずれも手作業での組付け方式で完了しなければならず、組み付けの効率にてその欠点があった。
【考案の概要】
【考案が解決しようとする課題】
【０００５】
従来技術における欠点及び不足に鑑み、本考案では、基板組立体とアンテナ組立体とで対応するコンタクトの構造を変更することで、全体的な組付け工程を簡素化して自動化するとともに自動化されて、加工効率が全般的に向上する、アンテナモジュール自動化組付け構造を提供する。
【課題を解決するための手段】
【０００６】
上記した考案の目的を達成するために、本考案で採用する技術手段は、基板組立体とアンテナ組立体とを備えるアンテナモジュール自動化組付け構造であって、基板組立体は基板と、ハウジングと、複数の第１のコンタクトとを有しており、ハウジングは基板上に設けられるとともにその上端にコンタクトスリットが凹設されており、第１のコンタクトはコンタクトスリットから突出しており、アンテナ組立体は分離可能に基板上に当接するとともに、信号連結部と複数の第２のコンタクトとを有しており、第２のコンタクトは信号連結部の底面に設けられるとともに前記複数の第１のコンタクトに互いに当接し且つ電気的に接続される。第２のコンタクトは単に下向きに当接するのみで第１のコンタクトと互いに電気的に接続するので、本考案の簡易な組付け方式は自動化生産にかなり有利となる。
【図面の簡単な説明】
【０００７】
【図１】本考案の立体外観図である。
【図２】本考案の構成要素の分解図である。
【図３】本考案の他の角度から見た構成要素の分解図である。
【図４】本考案の平面図である。
【図５】本考案のアンテナ組立体の一部拡大下面図である。
【図６】本考案の基板組立体の平面図である。
【図７】本考案のアンテナ組立体とアンテナ組立体とを結合するときの断面拡大図である。
【考案を実施するための形態】
【０００８】
以下にて図面及び本考案の好ましい実施例を合わせて、本考案が所期の考案目的を達成するために採用する技術手段を詳細に説明する。
【０００９】
図１を参照されたい。本考案のアンテナモジュール自動化組付け構造は基板組立体１０と、アンテナ組立体２０と、二つの固定スプリング３０とを備える。
【００１０】
図１及び図２を参照されたい。基板組立体１０は基板１１と、ハウジング１２と、二つの貫通孔組１３と、複数の第１のコンタクト１４と、少なくとも一つの第１のポカヨケ装置１５とを備える。
【００１１】
図２及び図４を参照されたい。ハウジング１２は基板１１上に設けられており、ハウジング１２の上面にはコンタクトスリット１２１及び二つのスプリングスリット１２２が凹設されており、コンタクトスリット１２１はハウジング１２の上面の中央部に凹設され、且つ該コンタクトスリット１２１上には上方開口１２３を更に有している。
該二つのスプリングスリット１２２はそれぞれ水平方向Ｌにてハウジング１２上面の対向する両側に位置しており、言い換えるならば、該コンタクトスリット１２１は該二つのスプリングスリット１２２の中間に凹設するように形成されている。
【００１２】
図１及び図２を参照されたい。該二つの貫通孔組１３は互いに平行で且つ間隔を空けてハウジング１２の該コンタクトスリット１２１内に設けられるとともに、各々の貫通孔組１３は複数の貫通孔１３１を有しており、しかも各々の貫通孔組１３内の該複数の貫通孔１３１もまた互いに平行で且つ間隔を空けて設けられ、且つ該二つの貫通孔組１３が互いに平行となる方向と、各々の該貫通孔組１３内の該複数の貫通孔１３１が互いに平行となる方向とが垂直となっている。
【００１３】
図７を参照されたい。該複数の第１のコンタクト１４は互いに間隔を空けて該ハウジング１２の該コンタクトスリット１２１内に設けられるとともに、各々の第１のコンタクト１４の対向する両端のうち一端は基板１１に接続され、他端は自由端として上向きに該コンタクトスリット１２１の上面から突出しているものである。
本実施例において、各々の第１のコンタクト１４はハウジング１２に貫設されることで基板１１上に固定するという目的を達成しているが、これに限定されることなく、第１のコンタクト１４はその他方式で基板１１上に固定されてもよい。
【００１４】
図２及び図６を参照されたい。本実施例において、該複数の第１のコンタクト１４が二つの第１のコンタクト列１６を形成するように配列されており、該二つの第１のコンタクト列１６は互いに平行で且つ間隔を空けて配列されており、しかも同一の第１のコンタクト列１６内に位置する該複数の第１のコンタクト１４もまた互いに平行で且つ間隔を空けて設けられるとともに、該二つの第１のコンタクト列１６が間隔を空けて配列される方向と、各々の該第１のコンタクト列１６内における該複数の第１のコンタクト１４の間隔を空けて配列される方向とは互いに垂直となっている。
【００１５】
より詳細に言えば、該二つの第１のコンタクト列１６は該二つの貫通孔組１３にそれぞれ対応している。言い換えるならば、同一の第１のコンタクト列１６にある該複数の第１のコンタクト１４は、対応する該貫通孔組１３内の該複数の貫通孔１３１内にそれぞれ収容されており、しかもその一端は該貫通孔１３１からハウジング１２のコンタクトスリット１２１の上面に至る。
【００１６】
該複数の第１のコンタクト１４の配列方式はこれに限定されない。つまり該複数の第１のコンタクト１４は必ずしも第１のコンタクト列１６を二列配列するような形式で実現されなければならないということではなく、例えば全ての第１のコンタクト１４のいずれもが一列に配列されるという具合にその他の態様として配列してもよい。    
【００１７】
本実施例において、該少なくとも一つの第１のポカヨケ装置１５の個数は二つであるとともに、該二つの第１のポカヨケ装置１５は形状が異なり且つ間隔を空けて設けられる二つの突起ブロックであり、しかも該二つの第１のポカヨケ装置１５は基板組立体１０のハウジング１２の上面に設けられ、より正確に言えば、該二つの第１のポカヨケ装置１５は該コンタクトスリット１２１の上面に設けられているが、これに限定されることなく、その他の位置に設けられてもよい。
【００１８】
図２及び図３を参照されたい。アンテナ組立体２０は分離可能に下向きに基板１１上に当接されるとともに、該アンテナ組立体２０は本体部２１と、連結部結合枠２２と、信号連結部２３と、複数の第２のコンタクト２４と、少なくとも一つの第２のポカヨケ装置２５と、位置決めねじ２６とを備える。
【００１９】
図２及び図７を参照されたい。連結部結合枠２２は、該本体部２１のうちの一方側面から水平に該本体部２１から突出するように一体形成されているが、これに限定されることなく、連結部結合枠２２はその他の方式で該本体部２１上に設けてもよく、また該本体部２１上に取り外し可能に設けてもよい。
【００２０】
図３、図５及び図７を参照されたい。該信号連結部２３は本体部２１に接続されるとともに、本実施例において、該信号連結部２３は連結部結合枠２２の底面に設けられているが、これに限定されることなく、該信号連結部２３は本体部２１のその他の位置に設けてもよい。
【００２１】
図２及び図３を参照されたい。該複数の第２のコンタクト２４は互いに間隔を空けて信号連結部２３の底面に設けられるとともに、第２のコンタクト２４は分離可能に下向きにハウジング１２のコンタクトスリット１２１の上方開口１２３を貫通して、下向きにコンタクトスリット１２１の該複数の第１のコンタクト１４に当接するとともに、第１のコンタクト１４に電気的に接続される。
【００２２】
本考案の第１のコンタクト１４と第２のコンタクト２４の位置及び個数は互いに対応している。言い換えるならば、該複数の第１のコンタクト１４は二列の第１のコンタクト列１６を形成していることから、本実施例において、該複数の第２のコンタクト２４の配列方式も二列並列となっている。上記によれば、第１のコンタクト１４の配列方式が変更されると（例えば一列の形式に変更）、該複数の第２のコンタクト２４の配列方式も対応して変更される。
【００２３】
本実施例において、該少なくとも一つの第２のポカヨケ装置２５の個数は二つであるとともに、該二つの第２のポカヨケ装置２５は形状が異なり且つ間隔を空けて設けられる二つの貫通孔であり、且つ該二つの第２のポカヨケ装置２５の個数及び位置は該二つの第１のポカヨケ装置１５の個数及び位置に対応する。且つ該二つの第２のポカヨケ装置２５は下向きに該二つの第１のポカヨケ装置１５に結合することができる。  
【００２４】
ポカヨケ装置１５、２５の特定形状は、使用者がアンテナ組立体２０を誤った方式で上から下に基板組立体１０上に設けるのを回避することができる。
【００２５】
位置決めねじ２６は本体部２１の上面から下向きに本体部２１の底面上に貫通するとともに、本体部２１をコンピュータ本体等の電子装置上に螺着固定する。
【００２６】
該二つの固定スプリング３０は該基板組立体の該二つのスプリングスリット１２２内にそれぞれ収容されており、しかも該二つの固定スプリング３０は水平方向Ｌに沿って屈曲することができる。より正確に言えば、各々の固定スプリング３０は装着部３１と、係止部３２と、装着斜面３３とを有する。
【００２７】
該二つの固定スプリング３０は該二つの装着部３１を介して、対応するスプリングスリット１２２内にそれぞれ収容されるとともに、本実施例において、該二つの装着部３１は該二つのスプリングスリット１２２内に取り外し可能に設けられるが、これに限定されない。
【００２８】
各々の該固定スプリング３０の係止部３２の対向する両端はそれぞれ連結端３２１及び自由端３２２であり、該連結端３２１は装着部３１の上端に連結されるとともに、係止部３２は該連結端３２１から水平方向Ｌにて他方の係止部３２に向けて屈曲して突出し、該二つの係止部３２の間の水平方向Ｌでの最短距離を、信号連結部２３の水平方向Ｌでの対向する両側の距離未満としている。
【００２９】
このうち、アンテナ組立体２０が基板組立体１０上に装着された後、該二つの固定スプリング３０の該二つの自由端３２２は下向きに信号連結部２３の上面に当接されるとともに、アンテナ組立体２０は基板組立体１０の上方に選択的に固定される。
【００３０】
該装着斜面３３は係止部３２上に形成されている。より正確に言えば、本実施例において、各々の該係止部３２が水平方向Ｌにて突出する部分は該装着斜面であるため、該装着斜面３３は固定スプリング３０の上端（係止部３２の上端）から該水平方向Ｌにて他方の固定スプリング３０に向かって下向きに傾斜して形成されるとともに、係止部３２の該自由端３２２が装着斜面３３の底端に成形される。
【００３１】
以下は本考案の装着方法及びその長所である。
【００３２】
図１、図２及び図３を参照されたい。本考案を結合するとき、本考案の該複数の第１のコンタクト１４はいずれもコンタクトスリット１２１の上面に設けられている。
対応する該複数の第２のコンタクト２４はいずれも信号連結部２３の底面に設けられているため、使用者は簡単に該アンテナ組立体２０を基板組立体１０の上方から置くのみで、該複数の第１のコンタクト１４が該複数の第２のコンタクト２４の上方に位置して、互いに接触するときに正確な電気的接続関係が発生することができる。
【００３３】
そしてアンテナ組立体２０を下向きに基板組立体１０の上方に当接するとき、その固定する手段は、信号連結部２３から下向きに二つの固定スプリング３０を押圧することで、信号連結部２３の底面には該複数の第２のコンタクト２４が設けられていることから、該複数の第１のコンタクト１４は該二つの固定スプリング３０の間に設けられる。
【００３４】
信号連結部２３が徐々に押下された後、信号連結部２３の水平方向Ｌにおける対向する両端の間の距離は、該二つの固定スプリング３０の間の該水平方向Ｌにおける最短距離によりも大きいことから、信号連結部２３は水平方向Ｌにて該二つの固定スプリング３０を押圧し、該二つの固定スプリング３０を水平方向Ｌにおける互いに離れる方向に屈曲させる。
これとともに、信号連結部２３が係止部３２の底面（自由端３２２）を通過した後、該二つの固定スプリング３０にて該水平方向Ｌにおける押し潰す力が消失することから、該二つの固定スプリング３０は元の形状に戻り、ひいては信号連結部２３が該二つの固定スプリング３０によりその下方に当接されて、アンテナ組立体２０を基板組立体１０上に取り外し可能に設けることになる。
同時に該複数のポカヨケ装置１５、２５の互いの結合があるため、アンテナ組立体２０は水平面上で該基板組立体１０上に規制されることで、アンテナ組立体２０を基板組立体１０上に取り外し可能に設けるという目的を達成する。
【００３５】
本考案の長所は以下にある。
【００３６】
第一に、本考案の装着方法は単に二つのステップを含むのみであり、アンテナ組立体２０を基板組立体１０の上方から下向きに基板組立体１０の上方に装着し、該信号連結部２３が確実に該二つの固定スプリング３０の下方に係止された後、その組付け工程が完了するので、本考案の組付け方法はかなり簡便で且つ誤装着しにくく、組付け工程を自動化するに当たり非常に有利な設計となっている。
【００３７】
第二に、本考案では全ての第１のコンタクト１４をハウジング１２の上面に設けるとともに、全ての第２のコンタクト２４を信号連結部２３の底面に設けるため、「基板組立体１０とアンテナ組立体２０との結合」というステップを更に簡素化している。
より正確に言えば、該複数のコンタクト１４、２４は互いに上下対応していることから、使用者はアンテナ組立体２０を基板組立体１０の上方から鉛直に置くのみで、手早く且つ正確にアンテナ組立体２０を有効に（電気的に）基板組立体１０の上方に装着することができる。
【００３８】
第三に、各々の該固定スプリング３上の該装着斜面３３が信号連結部２３を更に下向きに当接したとき、該二つの固定スプリング３０を該水平方向Ｌにてよりスムーズに押し開き、ひいては組付け工程にておこりうる装着不良といった不具合が発生するのを回避することができる。
【００３９】
第四に、該複数のポカヨケ装置１５、２５は、使用者又は機器がアンテナ組立体２０を基板組立体１０の上方に置くとき、正確に位置合わせして置くことができるように確保することができる。もしアンテナ組立体２０が反対の方向で基板組立体１０上に置かれても、該複数のポカヨケ装置１５、２５が互いに結合し得ないため、装着方向の誤りも判別しやすくなる。
【００４０】
上記をまとめると、本考案は該複数のコンタクト１４、２４の結合構造設計により、アンテナ組立体２０では上から下に装着するのみで基板組立体１０に設けることができるため、組付け工程全般が非常に簡潔となり、ひいては組付け工程の自動化に有利となって、組付け全般における効率を向上することができる。
【符号の説明】
【００４１】
１０  基板組立体
１１  基板
１２  ハウジング
１２１  コンタクトスリット
１２２  スプリングスリット
１２３  上方開口
１３  貫通孔組
１３１  貫通穴
１４  第１のコンタクト
１５  第１のポカヨケ装置
１６  第１のコンタクト列
２０  アンテナ組立体
２１  本体
２２  連結部結合枠
２３  信号連結部
２４  第２のコンタクト
２５  第２のポカヨケ装置
２６  位置決めねじ
３０  固定スプリング
３１  装着部
３２  係止部
３２１  連結端
３２２  自由端
３３  装着斜面
Ｌ  水平方向
【図１】
0003218208.tif 000003
【図２】
0003218208.tif 000004
【図３】
0003218208.tif 000005
【図４】
0003218208.tif 000006
【図５】
0003218208.tif 000007
【図６】
0003218208.tif 000008
【図７】
0003218208.tif 000009